(57)【特許請求の範囲】
【請求項１】
駆動コイル（１０２’）が設けられており、通電を維持する電磁始動器（１０２）と、
整流ダイオード（１１０）、ならびに、当該整流ダイオード（１１０）の両側に接続されている第１の降圧インピーダンス（１１１）および第２の降圧インピーダンス（１１２）が設けられており、前記電磁始動器（１０２）に交流電気エネルギーを供給する電源装置（１００）と、
前記電磁始動器（１０２）と電源装置（１００）と間に設けられ、前記電磁始動器（１０２）と電源装置（１００）とを接続または遮断するスイッチ装置（１０１）と、
前記スイッチ装置（１０１）に接続されている交流の突入電流吸収装置（１０３）と、
前記スイッチ装置（１０１）に接続されている直流の突入電流吸収装置（１１３）と、
を備え、
前記突入電流吸収装置（１０３、１１３）と前記駆動コイルとが並列に接続され、
前記電源装置は、交流電源及び前記整流ダイオードにより構成され、前記スイッチ装置を制御することによって、前記駆動コイルの励磁に対してＡＣ電源を提供し、また前記駆動コイルに対して低電圧ＤＣ電源を提供し、かつ比較的小さい電流を通して、前記駆動コイルへ出力することにより、励磁を維持することにより当該電磁始動器の定格稼動特性を維持し、
前記スイッチ装置は、３ウェイ３ポジションスイッチにより構成され、前記電源装置から供給される電気エネルギーを制御し、
前記３ウェイ３ポジションスイッチは、３ポジション移動を有し、
各位置と対応する３ウェイ接点をショートする滑動性導電板は、
前記スイッチ装置が第一ポジションに位置するとき、不通電状態を維持し、
前記スイッチ装置が第二ポジションに位置するとき、前記駆動コイルは、前記電源装置から供給される交流電気エネルギーを出力し、起動電力として、励磁を行い、
前記スイッチ装置が第三ポジションに位置するとき、前記駆動コイルは、前記電源装置から供給される低圧直流の電気エネルギーを出力することにより、励磁を維持し、
設置した前記第一ポジションの接点（１ａ）、（１ｂ）、（１ｃ）を接続せず、前記第二ポジションの第一接点（２ａ）と前記交流電源のＵ端とを直接接続し、前記交流電源のＵ端と前記整流ダイオードと直接接続してから、更に前記スイッチ装置の前記第三ポジションの第一接点（３ａ）に接続し、前記第二ポジションの第二接点（２ｂ）と前記第三ポジションの第二接点（３ｂ）とを直接接続してから、前記駆動コイルへ通じ、前記駆動コイルのもう一端と前記交流電源のＶ端とを接続し、
前記交流の突入電流吸収装置の一端を前記第二ポジションの第三接点（２ｃ）に接続し、他端を前記交流電源のＶ端に接続し、
フライホイールダイオードにより、前記直流の突入電流吸収装置の正端を構成し、前記第三ポジションの第三接点（３ｃ）に接続し、負端を前記交流電源のＶ端に接続することを特徴とする電磁始動器。
【請求項２】
前記第二ポジションの第一接点（２ａ）と第２の降圧インピーダンス（１１２）とを直列接続してから、更に前記交流電源のＵ端と接続することを特徴とする請求項１に記載電磁始動器。
【請求項３】
第三ポジションの第一接点（３ａ）と第１の降圧インピーダンス（１１１）とを直列接続し、更に前記整流ダイオードと接続してから、また前記交流電源のＵ端と直列接続することを特徴とする請求項１又は２に記載の電磁始動器。
【発明の詳細な説明】
【技術分野】
【０００１】
本発明は、駆動コイルの設置に対して、電磁始動効果を生じる電磁始動器を通して、スイッチ装置の制御によって、電源装置が電磁始動器に設置する駆動コイルを制御し、交流電気エネルギーを入力し、駆動コイルを通電、起動する。電磁始動器起動後、更にスイッチ装置の制御を通し、電源装置がより低い電圧の直流電気エネルギーの出力に切換え、駆動コイルの励磁通電を保持することによって、駆動コイルの総電流を減少させる。電磁始動器は依然として通電始動後の必要な作動特性を満足することによって、電気エネルギーが節約され、熱損害を減少させ、及び電磁振動の騒音を低減させる。
【背景技術】
【０００２】
従来は、交流電気エネルギーが駆動コイルを通過するときに形成される電磁始動効果によって、電磁始動器を駆動する。もし通電、起動及び通電始動状態が保持され、コイル通電電源は変更しないなら、交流磁場のパルスを減少するために、一部の電磁効果の吸合面にショートサーキットリングを設置する。ゆえに交流電気エネルギーによって通電始動状態を保持するとき、ショートサーキットリングに熱損害が生じ、鉄芯にダメージを与える。ゆえに保持に必要な通電始動電流がより大きくなり、全体の熱損害が大きく、電気エネルギーの浪費と電磁振動の騒音があることが欠点である。
【発明の概要】
【発明が解決しようとする課題】
【０００３】
本発明は、通電維持型の電磁始動器を改善し、例えば、電磁クラッチ、電磁制動器、電磁力駆動のリレー、電磁スイッチ、電磁バルブ等の通電を維持するための電量を減少する革新的な発明である。
【課題を解決するための手段】
【０００４】
本発明は、一種の交流を通して起動し、直流を通して通電を保持する電磁始動器である。スイッチ装置を通して駆動コイルを設置している電磁始動器を制御し、常閉型或いは常開型電磁制動器、常閉型或いは常開型電磁クラッチ、常閉型或いは常開型電磁スイッチ、常閉型或いは常開型電磁リレー、常閉型或いは常開型電磁バルブ、電気磁石、電磁ロック、螺旋コイル或いはその他駆動コイルを通して電磁始動効果を駆動する電磁始動器への応用を含む。或いは、駆動コイルを通して人力或いは機械力によって多方式操作の多方式操作可能な電磁始動器である。スイッチ装置を通して電源装置が電磁始動器に設置する駆動コイルを制御し、交流電気エネルギーの入力によって駆動コイルを通電、起動し、電磁始動器により大きい電磁効果の起動力を形成させる。起動後、更にスイッチ装置の制御を通して、電源装置がより低い電圧の直流電気エネルギーの出力に切換え、駆動コイルの励磁通電を保持することによって、駆動コイルの総電流を減少させる。電磁効果作用力は依然として電磁始動器通電始動後の必要な作動特性を満足することによって、電気エネルギーが節約され、熱損害を減少させ、及び電磁振動の騒音を低減させる。
【図面の簡単な説明】
【０００５】
【図１】本発明の一実施形態による電磁始動器の直流を通して通電を保持する回路を示す回路図である。
【図２】本発明の一実施形態による電磁始動器の交流電気エネルギーを入力して通電、起動する回路を示す回路図である。
【図３】本発明の一実施形態による電磁始動器のより低い電圧の直流電気エネルギーを入力することによって駆動コイルの通電を保持する回路を示す回路図である。
【図４】本発明の一実施形態による電磁始動器の交流単相電源へ応用する回路を示す回路図である。
【図５】本発明の一実施形態による電磁始動器の交流単相電源へ応用する回路を示す回路図である。
【図６】本発明の一実施形態による電磁始動器の位置検知装置を設置する回路を示す回路図である。
【発明を実施するための形態】
【０００６】
以下、本発明の実施の形態を図面に基づいて説明する。
（一実施形態）
本発明の一実施形態による電磁始動器は、一種のスイッチ装置を通して駆動コイルを設置している電磁始動器を制御する。例えば、常閉型或いは常開型電磁制動器、常閉型或いは常開型電磁クラッチ、常閉型或いは常開型電磁スイッチ、常閉型或いは常開型電磁リレー、常閉型或いは常開型電磁バルブ、電気磁石、電磁ロック、螺旋コイル或いはその他駆動コイルを通して電磁始動効果の電磁始動器を駆動する。或いは、駆動コイルを通して、及び人力或いは機械力による多方式操作の多方式操作可能な電磁始動器によって、スイッチ装置を通して電源装置が電磁始動器に設置する駆動コイルを制御する。交流電気エネルギーの入力によって駆動コイルを通電、起動し、電磁始動器により大きい電磁効果の起動力を形成させる。起動後、更にスイッチ装置の制御を通して、電源装置がより低い電圧の直流電気エネルギーの出力に切換え、駆動コイルの励磁通電を保持することによって、駆動コイルの総電流を減少させる。電磁始動器は依然として電磁始動器通電始動後の必要な作動特性を満足することによって、電気エネルギーが節約され、熱損害を減少させ、及び電磁振動の騒音を低減させる。
【０００７】
ここで駆動コイルを設置する電磁始動器を実施形態として、下記の通り説明する。
図１は、本実施形態の駆動コイルを設置する電磁始動器であって、交流を通して起動し、直流を通して通電を保持する回路の回路図を示す。その主な構成は、下記を含む。
電源装置１００は、電源供給関連機能及び電圧電流制御機能の電機或いは電子コンポネント或いはマイクロプロセッサ及び関連ソフトウェアによって構成される電源供給装置を含み、直流或いは交流電気エネルギーを入力し、スイッチ装置１０１の制御に合わせて、交流電気エネルギー、より低い電圧の直流電気エネルギー或いは半波または全波または衝撃波の直流電気エネルギーを出力する。
【０００８】
スイッチ装置１０１は、人力、機械力、流力、電気エネルギーで操作する電気機械スイッチ、リレー、電磁スイッチ、固相スイッチ装置によって構成される。人力、機械力、流力、電気エネルギーの操作を制御することにより、交流或いは直流電気エネルギーを電磁始動器１０２に設置する駆動コイル１０２’へ輸送する。通電或いは断電のスイッチ機能を操作し、或いは、スイッチ装置１０１を通して切換えを行い、電源装置１００が電磁始動器の駆動コイル１０２’に対して、まず駆動コイル１０２’が通電、起動されてから、交流励磁電流Ｉａが駆動コイル１０２’を通過する。図２に、図１の実施形態の交流電気エネルギーを入力して通電、起動する回路の回路図を示す。駆動コイル１０２’に対して交流電気エネルギーを入力して、励磁通電を起動後、更にスイッチ装置１０１の制御を通して、電源装置１００からより低い電圧の直流電気エネルギーの出力に切換え、駆動コイル１０２’へ入力する。より低い電圧によって供給する直流励磁電流Ｉｂが駆動コイル１０２’を通過し、励磁通電を保持する。図３に、図１の実施形態のより低い電圧の直流電気エネルギーを入力することによって、駆動コイルの通電を保持する回路の回路図を示す。また駆動コイル１０２’に対してより低い電圧の直流電気エネルギーを入力し、通電を保持するとき、駆動コイル１０２’の総電流が減少する。電磁効果の作用力は依然として電磁始動器が通電始動後の必要な作動特性を確保し、電気エネルギーが節約され、電磁始動器の発熱を減少させ、及び電磁振動の騒音を減少させる。
【０００９】
本実施形態の電磁始動器は、電磁始動器１０２に設置される駆動コイル１０２’に交流電気エネルギーを入力して、励磁通電を起動後、スイッチ装置１０１の制御を通して、電源装置１００から交流電気エネルギーの出力をより低い電圧の直流電気エネルギーの出力に切換える。駆動コイル１０２’を入力して励磁通電を保持する切換方式は、下記を含む。
（１）人工でスイッチ装置１０１を順に操作することによって、電源装置１００が駆動コイル１０２’へ輸送する電気エネルギーを制御する。それは交流電気エネルギーを入力して励磁を起動後、更により低い電圧の直流電気エネルギーの入力に切換え、励磁通電を保持することを含む。
【００１０】
（２）或いは、スイッチ装置１０１によって時間遅延機能の制御を操作し、電源装置１００が駆動コイル１０２’へ輸送する電気エネルギーを制御する。それは交流電気エネルギーを入力して励磁を起動後、時間遅延にしてから、更により低い電圧の直流電気エネルギーの入力に切換え、駆動コイル１０２’の励磁通電を保持することを含む。
（３）或いは、スイッチ装置１０１を通過し、駆動コイル１０２’へ輸送する電流値の検査測定を通して、電源装置１００からより高い電圧の交流電気エネルギーを出力することによって、電磁始動器１０２の駆動コイル１０２’に対する励磁通電の起動電流値が設定電流値より大きい或いは等しいとき、或いは、起動電流値が設定電流値より大きい或いは等しい状態が設定時間を超えるとき、スイッチ装置１０１が駆動される。電源装置１００から駆動コイル１０２’へ輸送する電気エネルギーを制御し、より低い電圧の直流電気エネルギーの出力に切換え、駆動コイル１０２’の励磁通電を保持する。
（４）或いは、上述（１）、（２）、（３）の中の二種類或いは二種類以上の方式によってスイッチ装置１０１の駆動を制御する。
【００１１】
電磁始動器１０２は、交流或いは直流電気エネルギーの駆動コイル１０２’を設置したよく使われる常閉型或いは常開型電磁制動器、常閉型或いは常開型電磁クラッチ、常閉型或いは常開型電磁スイッチ、常閉型或いは常開型電磁リレー、常閉型或いは常開型電磁バルブ等の装置構造、電気磁石、電磁ロック、螺旋コイル、その他駆動コイルを通して電磁始動効果で電磁始動器を駆動することによって構成される。或いは、駆動コイル及び人力或いは機械力による多方式操作の多方式操作可能な電磁始動器を通して、スイッチ装置１０１を通して、電源装置１００が電磁始動器１０２の駆動コイル１０２’を制御し、交流電気エネルギーを入力して、励磁通電を起動する。起動後、更に電源装置１００がより低い電圧の直流電気エネルギーの出力に切換え、駆動コイル１０２’の励磁通電を保持することによって、電気エネルギーが節約され、及び発熱を減少させる。電磁始動器１０２はより低い電圧の直流電気エネルギーによって駆動コイル１０２’に入力し、励磁通電を保持するとき、電磁効果の作用力は依然として電磁始動器を通電始動作動状態の必要な特性を満足することができ、電気エネルギーが節約され、熱損害を減少させ、及び電磁振動の騒音を減少させる。
【００１２】
交流の突入電流吸収装置１０３、直流の突入電流吸収装置１１３、汎用型突入電流吸収装置１２３は、電磁始動器１０２へ入力する電気エネルギーの形態によって、交流の突入電流吸収装置１０３、直流の突入電流吸収装置１１３、汎用型突入電流吸収装置１２３の設置を選択することが可能で、駆動コイルに並列接続し、スイッチ装置１０１で駆動コイル１０２’を開閉させる。或いは、交流電気エネルギーを入力して、駆動コイル１０２’を通電、起動させ、或いは、より低い電圧の直流電気エネルギーの出力に切換え、駆動コイル１０２’への輸送によって励磁を保持するとき、駆動コイル１０２’に合わせて交流電気エネルギーを入力する。或いは、より低い電圧の直流電気エネルギーを相対的に切換えることによって、交流の突入電流吸収装置１０３、直流の突入電流吸収装置１１３或いは汎用型突入電流吸収装置１２３への接続を別々に選択し、駆動コイル１０２’に形成するインダクタの逆起電力の吸収に協力する。本実施形態の突入電流吸収装置の構成は、下記の通りである。１．駆動コイル１０２’の電気エネルギーが交流電気エネルギーであるとき、交流の突入電流吸収装置１０３の設置は、例えば、双極性固相バリスタ（ｖａｒｉｓｔｏｒ）によって構成され、或いは、インピーダー、インダクタ、双極性コンデンサの中の少なくとも二種類のコンポネントを直列、並列、直並列に接続することによって構成され、或いは、単独に双極性コンデンサによって構成され、或いは、その他よく使われる交流突入電流吸収回路装置によって構成される。２．駆動コイル１０２’の電気エネルギーが直流電気エネルギーであるとき、直流突入電流吸収装置１１３を配置する。例えば、逆極性並列接続するダイオードによってエネルギー貯蔵効果のフリーホイールダイオードを構成し、或いは、インピーダー、インダクタ、単極性或いは双極性コンデンサの中の少なくとも二種類のコンポネントを直列、並列、直並列に接続することによって構成され、或いは、単独に単極性或いは双極性コンデンサによって構成され、或いは、固相バリスタ（ｖａｒｉｓｔｏｒ）によって構成され、或いは、その他よく使われる直流突入電流吸収回路装置によって構成される。３．駆動コイル１０２’の電源が交流と直流の電気エネルギーの混用であるとき、交流突入電流電気エネルギー及び直流突入電流電気エネルギーを吸収可能な汎用型突入電流吸収装置１２３、例えば、インピーダー、インダクタ、双極性コンデンサの中の少なくとも二種類のコンポネントを並列接続、直列接続または並直列接続して構成され、或いは、単独に双極性コンデンサによって構成され、或いは、双極性固相バリスタ（ｖａｒｉｓｔｏｒ）によって構成される。或いは、その他よく使われる汎用型突入電流吸収回路装置によって構成される。本実施形態の装置は、必要に応じて設置する或いは設置しないことの選択が可能である。
【００１３】
本実施形態の電磁始動器の回路の応用がたくさんでているので、下記の二例を挙げて説明する。
図４は、本実施形態を交流単相電源へ応用し、交流電気エネルギーで励磁を起動し、及びより低い電圧の直流電気エネルギーの励磁通電を保持する回路の回路図を示す。
図４の実施形態の中で、交流電源及び整流ダイオードによって交流電気エネルギー或いはより低い電圧の直流電気エネルギーを出力する電源装置１００を構成することを示す。また起動ボタン１３０、停止ボタン１４０、電磁始動器１０２の駆動コイル１０２’によって常開接点１２０を駆動することによって、スイッチ装置１０１を構成し、電源装置１００からの電気エネルギーの供給を制御する。かつ汎用型突入電流吸収装置１２３の機能を有する双極性キャパシタを選択し、駆動コイル１０２’に並列接続する。駆動コイル１０２’の一端を交流電源のＶ端に接続し、もう一端を常開接点１２０の負荷端に接続する。及び起動ボタン１３０の負荷端に直接接続し、或いは、必要に応じて降圧インピーダンス１１２と直列接続してから、更に起動ボタン１３０の負荷端に接続することを選択する。電源装置１００のＵ端は、停止ボタン１４０の交流電気エネルギーの出力端を経て、起動ボタン１３０の電源端に接続し、及び整流ダイオード１１０から出力するより低い電圧の直流出力端を経て、常開接点１２０の電源端に接続する。或いは、必要に応じて整流ダイオード１１０の出力端を降圧インピーダンス１１１と直列接続してから、更に常開接点１２０の電源端に接続することを選択する。回路の機能は、下記の通りである。
【００１４】
起動ボタン１３０を押してクローズになるとき、交流電気エネルギーは起動ボタン１３０を経て、駆動コイル１０２’を駆動する。交流電気エネルギーで励磁通電を起動することによって、常開接点１２０をクローズさせる。起動ボタン１３０を押さずにまたオープンサーキットに戻ったとき、電源装置１００は、整流ダイオード１１０を経て、より低い電圧の直流電気エネルギーを出力し、駆動コイル１０２’を持続駆動することによって、励磁通電を保持する。かつ汎用型突入電流吸収装置１２３を通して突入電流及びパルス電気エネルギーを吸収する。
停止ボタン１４０を押すとき、電源装置１００が駆動コイル１０２’に対して給電を切断し、また電磁始動器１０２が待機状態に戻る。
【００１５】
図５は、本実施形態を交流単相電源へ応用し、交流電気エネルギーの励磁を起動し、及びより低い電圧の直流電気エネルギーの励磁通電を保持する回路の回路図を示す。
図５の実施形態の中で、交流電源及び整流ダイオードによって交流電気エネルギー或いはより低い電圧の直流電気エネルギーを出力することができる電源装置１００を構成することを示す。また３ウェイ３ポジションスイッチによってスイッチ装置１０１を構成し、電源装置１００から電気エネルギーの供給を制御する。３ウェイ３ポジションスイッチによってスイッチ装置１０１を構成し、３ポジションの移動によって各ポジションに対応する３ウェイ接点をショートサーキットする滑動導電板である。その中の第一ポジションは、待機のＯＦＦポジションに接点１ａ、接点１ｂ、接点１ｃを設置する。また接点を空置して設置しないことも可能である。第二ポジションの接点２ａは、電源装置１００の交流電源Ｕ端と直接接続し、或いは、必要に応じて降圧インピーダンス１１２と直列接続することを選択し、更に電源装置１００の交流電源Ｕ端と接続する。電源装置１００の交流電源Ｕ端は、直接順向に整流ダイオード１１０と直列接続してから、更に３ウェイ３ポジションスイッチの第３ポジションの接点３ａに接続し、或いは、順向に整流ダイオード１１０に直列接続し、及び必要に応じて降圧インピーダンス１１１と直列接続することを選択し、更に３ウェイ３ポジションスイッチの第３ポジションの接点３ａに接続する。第二ポジションの接点２ｂと第３ポジションの接点３ｂとを接続後、電磁始動器１０２の駆動コイル１０２’へ通じ、駆動コイル１０２’のもう一端は電源Ｖ端と接続する。
交流の突入電流吸収装置１０３は、一端が第二ポジションの接点２ｃに接続し、もう一端が電源Ｖ端に接続する。
【００１６】
フリーホイールダイオードによって直流突入電流吸収装置１１３のプラス端を構成し、第３ポジションの接点３ｃに接続し、そのマイナス端は電源Ｖ端に接続する。
３ウェイ３ポジションスイッチで構成されるスイッチ装置１０１が第一ポジションに置かれる場合は、待機のＯＦＦ状態である。
３ウェイ３ポジションスイッチで構成されるスイッチ装置１０１が第二ポジションへ操作されると、電源装置１００から交流電気エネルギーを出力し、電磁始動器１０２の駆動コイル１０２’を駆動し、交流の励磁通電を起動する。
【００１７】
３ウェイ３ポジションスイッチで構成されるスイッチ装置１０１が第３ポジションへ操作されると、電源装置１００からより低い電圧の直流電気エネルギーを出力し、電磁始動器１０２の駆動コイル１０２’を駆動し、より低い電圧の直流電気エネルギーの励磁通電を保持する。
本実施形態の電磁始動器１０２に配置する駆動コイル１０２’は、交流電気エネルギーを入力することによって、駆動コイル１０２’の励磁通電を起動し、より低い電圧の直流電気エネルギーに切換える。駆動コイル１０２’の励磁通電を保持する方式は、更に図６に本実施形態の電磁始動器に位置検知装置を設置し、駆動コイルの励磁電源の入力を制御する回路の回路図を示す。電磁始動器１０２の移動体と静止体が相対的に始動後の安定位置或いは始動過程中の選定位置に位置検知装置１０５を設置することを含む。電磁始動器１０２の駆動コイル１０２’で交流電気エネルギーを入力し、かつ安定位置に駆動され、或いは、始動過程中に位置を選定した後、位置検知装置１０５により電源装置１００を直接切換え、より低い電圧の直流電気エネルギーを出力し、駆動コイル１０２’の励磁通電を保持する。或いは、位置検知装置１０５を通してスイッチ装置１０１を制御し、電磁始動器１０２が駆動コイル１０２’で交流電気エネルギーを入力し、かつ安定位置に駆動され、或いは、始動過程中に位置を選定した後、位置検知装置１０５を通してスイッチ装置１０１を制御し、更に電源装置１００をより低い電圧の直流電気エネルギーの出力に切換え、駆動コイル１０２’の励磁通電を保持する。
【００１８】
本実施形態の位置検知装置１０５は、圧力タッチ式電気機械スイッチ装置或いは加圧リード起動式スイッチによって構成され、或いは、光学式、電磁感応式、キャパシティブセンサー或いはその他よく使われる位置検知装置によって構成されることが可能である。本実施形態の装置は、必要に応じて設置する或いは設置しないことの選択が可能である。
上述をまとめると、本実施形態の電磁始動器は、スイッチ装置１０１を通して電源装置１００が電磁始動器１０２に設置する駆動コイル１０２’を制御し、交流電気エネルギーを入力することによって、駆動コイル１０２’を励磁し、電磁始動器により大きい電磁効果の起動作用力を生じさせる。起動後、スイッチ装置１０１の制御を通して、電源装置１００がより低い電圧の直流電気エネルギーの出力に切換える。駆動コイル１０２’への入力によって励磁通電を保持し、駆動コイル１０２’の総電流を減少させる。電磁効果作用力は依然として電磁始動器通電始動後の必要な作動特性を満足することによって、電気エネルギーが節約され、熱損害を減少させ、及び電磁振動の騒音を低減させる。
【符号の説明】
【００１９】
１ａ：第１ポジションの接点、１ｂ：第１ポジションの接点、１ｃ：第１ポジションの接点、２ａ：第２ポジションの接点、２ｂ：第２ポジションの接点、２ｃ：第２ポジションの接点、３ａ：第３ポジションの接点、３ｂ：第３ポジションの接点、３ｃ：第３ポジションの接点、１００：電源装置、１０１：スイッチ装置、１０２：電磁始動器、１０２’：駆動コイル、１０３：交流の突入電流吸収装置、１０５：位置検知装置、１１０：整流ダイオード、１１１：降圧インピーダンス、１１２：降圧インピーダンス、１１３：直流の突入電流吸収装置、１２０：常開接点、１２３：汎用型突入電流吸収装置、１３０：起動ボタン、１４０：停止ボタン、Ｉａ：交流励磁電流、Ｉｂ：直流の保持電流
【図１】
0005492475.tif 000002
【図２】
0005492475.tif 000003
【図３】
0005492475.tif 000004
【図４】
0005492475.tif 000005
【図５】
0005492475.tif 000006
【図６】
0005492475.tif 000007